(57)【要約】【課題】光線式検知器において、受光素子に太陽光などの強力な光が入射された場合に発生する電流で直流電圧値が上がったり可変コイルが磁気飽和したりと、求めるＬＣ並列共振回路の特性を維持できず正常な信号抽出ができなくなる問題があった。【解決手段】従来の可変コイルの代わりに狭許容差でない固定コイルを使用するためにＬＣ並列共振回路のコンデンサは複数のコンデンサをスイッチ素子で選択できる構成とし、ＬＣ並列共振回路に対してＣＰＵで周波数をスイープ制御される信号を入力し、ＬＣ並列共振回路の出力信号が最大となる周波数foを求め、このfoとＣの静電容量からＬのインダクタンスを算出し、投光器から発せられる変調光と同じ周波数の共振周波数を有するＬＣ並列共振回路になるように、算出したＬのインダクタンスに合う静電容量にＣを構成するコンデンサを組み合わせて選択し、抽出すべき信号の周波数を調整することができる受光回路とする。【選択図】図２
2015226196.tif 000002
【特許請求の範囲】
【請求項１】
変調光を発する投光器と、前記変調光を受ける受光器で構成される光線式検知器の受光器において、受光素子とＬＣ並列共振回路とで構成し、前記Ｃは複数のコンデンサをスイッチ素子で選択できる構成であり、ＬＣ並列共振回路に対してＣＰＵで周波数をスイープ制御される信号を入力し、ＬＣ並列共振回路の出力信号が最大となる周波数foを求め、この周波数foとＣの静電容量からＬのインダクタンスを算出し、投光器から発せられる変調光と同じ周波数の共振周波数を有するＬＣ並列共振回路になるように、算出したＬのインダクタンスに合う静電容量にＣを構成するコンデンサを組み合わせて選択し、抽出すべき信号の周波数を調整することができる受光回路。
【請求項２】
前記スイッチ素子をトランジスタとした請求項１に記載の光線検知器の受光回路。
【請求項３】
前記トランジスタのコレクタ出力容量を小さくするためにコレクタ−ベース間に電圧をかけた請求項２に記載の光線検知器の受光回路。
【発明の詳細な説明】
【技術分野】
【０００１】
本発明は、変調光を発する投光器と、この変調光を受ける受光器とで構成され、投光器から発せられる赤外線信号が人体等で遮光されたことを受光器で検知し警報出力する光線式検知器の受光回路に関するものである。
【背景技術】
【０００２】
光線式検知器は、図１のように投光器から発せられる変調光を、受光器内のフォトダイオードやフォトトランジスタなどの受光素子で電気信号に変換し、コイルＬとコンデンサＣとで構成するＬＣ並列共振回路を負荷として信号を抽出している。
【０００３】
ＬＣ並列共振回路の共振周波数を変調光の周波数に合わせておくと、識別しようとする変調光の周波数では負荷が大きくなり、電圧信号が大きく得られ、太陽光等の直流光や、識別しようとする赤外線変調光の周波数以外の周波数では負荷が小さくなり、電圧信号が小さくなるため、受光手段のＳ／Ｎを向上することができる。    
【発明の開示】
【発明が解決しようとする課題】
【０００４】
光線式検知器のＬＣ並列共振回路に使用するコイルは光線式検知器の用いる信号周波数帯が数十〜数百kHzであるため共振を利用した信号抽出を行うには数mHと大きいほうが望ましいが、高インダクタンスかつ狭許容差の固定コイルがほとんど存在しないため、可変コイルを用いてインダクタンスを調整し、共振周波数を変調光の周波数に合わせている。
【０００５】
しかし、可変コイルは、抵抗成分が大きくまた許容電流値が低いため、受光素子に太陽光などの強力な光が入射された場合に発生する電流で直流電圧値が上がったり可変コイルが磁気飽和したりと、求める共振回路の特性を維持できず正常な信号抽出ができなくなる問題があった。
また、最近は可変コイルの需要が激減し入手性が悪くなってきているという問題もあった。
【課題を解決するための手段】
【０００６】
本発明では、従来の可変コイルの代わりに狭許容差でない固定コイルを使用するために、ＬＣ並列共振回路のコンデンサは複数のコンデンサをスイッチ素子で選択できる構成とし、ＣＰＵからＬＣ並列共振回路に対して信号を入力する。ＣＰＵは前記信号の周波数をスイープ制御し、かつＬＣ並列共振回路の出力信号が最大となる周波数foを求め、この周波数foとＬＣ並列共振回路のＣの静電容量からＬのインダクタンスを算出する。投光器から発せられる変調光と同じ周波数の共振周波数を有するＬＣ並列共振回路になるように、算出したＬのインダクタンスに合う静電容量にＣを構成するコンデンサを組み合わせて選択し、抽出すべき信号の周波数を調整することができる受光回路とする。
【発明の効果】
【０００７】
本発明では、コイルの直流電流特性が向上するため太陽光などの強力な外乱光に対して耐性が向上する。また、固定コイルを用いるため、入手性の改善、コストの低減、コイル調整作業の削除となる。
【図面の簡単な説明】
【０００８】
【図１】ＬＣ並列共振回路を用いた一般的な受光回路を示した図である。
【図２】本発明の実施形態を示した図である。
【図３】本発明のコレクタ出力容量Ｃobの影響を低減する実施形態を示した図である。
【発明を実施するための最良の形態】
【０００９】
図２は本発明の実施形態を示した図である。投光器から発せられる変調パルス光を、受光素子であるフォトダイオードＰＤで電気信号に変換し、コイルＬ１およびＣＰＵ１で選択された選択用トランジスタＴ１〜ＴｎとコンデンサＣ１〜Ｃｎとで構成されるＬＣ並列共振回路にて、選択すべき周波数の電気信号を抽出する構成である。
【００１０】
Ｌ１は固定コイルであり、インダクタンスのばらつきが大きい。そのため、ＣＰＵ１でＬ１の実際の値を算出し、選択すべき周波数の電気信号を抽出するためにコンデンサＣ１〜Ｃｎのうちどのコンデンサを組み合わせればいいかを判断する。ＣＰＵ１にコンデンサＣ１〜Ｃｎのメーカー公称静電容量を記憶させておき、Ｌ１のインダクタンスを算出するときはこの値を用いる。
【００１１】
ＣＰＵ１を入力ポートの設定により、通常運用モードから調整モードに変更する。調整モードになるとトランジスタＴ１〜Ｔｎの全てをオンにし、コンデンサＣ１〜Ｃｎの全てを選択する。その結果、固定コイルＬ１とコンデンサＣ１〜ＣｎでＬＣ並列共振回路を構成する。
【００１２】
ＣＰＵ１からＰ点に抵抗Ｒ１を介して矩形波を注入し、矩形波の周波数をスイープさせる。抵抗Ｒ１はＬＣ並列共振回路に影響を与えない抵抗値にすることが望ましい。固定コイルＬ１とコンデンサＣ１〜Ｃｎで構成されるＬＣ並列共振回路で出力される信号の振幅を直流変換回路２で直流電圧に変換し、その電圧をＣＰＵ１で監視する。ＣＰＵ１内で監視している直流電圧が最大になったときの周波数foとコンデンサＣ１〜Ｃｎの合計静電容量から下記数式１を用いてＬ１のインダクタンスを算出する。
【００１３】
【数１】
2015226196.tif 000003
【００１４】
投光器から発せられる変調光の周波数と同じ周波数の共振周波数を有するＬＣ並列共振回路になるように、算出した固定コイルＬ１のインダクタンスに合う静電容量にコンデンサＣ１〜Ｃｎのうちどのコンデンサを組み合わせればいいかを算出し、ＣＰＵ１内のメモリ、または外部メモリに記憶する。投光器から発せられる変調光の周波数の種類が複数ある場合は、その数だけコンデンサの組み合わせを算出し、ＣＰＵ１内のメモリ、または外部メモリに記憶する。ＣＰＵ１を入力ポートの設定により、調整モードから通常運用モードに変更すると、算出した組み合わせのコンデンサをコンデンサＣ１〜Ｃｎの中から選択し、共振周波数が抽出すべき周波数であるＬＣ並列共振回路を構成する。
【００１５】
図２には図示していないが、トランジスタには一般的にコレクタ出力容量Ｃobが存在する。図２の回路でトランジスタがオンの時はコレクタ出力容量Ｃobを無視することができるが、特に選択するコンデンサの静電容量が小さい場合、オフの時のコレクタ出力容量Ｃobを無視することができず、ＬＣ共振回路の特性に影響が出てしまう。
【００１６】
図３は本発明のコレクタ出力容量Ｃobの影響を低減する実施形態を示した図である。トランジスタＴｉのコレクタに抵抗Ｒ２を介して電圧をかける。こうすることによりトランジスタＴｉがオフの時、トランジスタＴｉのコレクタ−ベース間に電圧がかかり、コレクタ出力容量Ｃobが小さくなる。抵抗Ｒ２はＬＣ並列共振回路に影響を与えない抵抗値にすることが望ましい。
図２で図３のようにトランジスタＴ１〜Ｔｎのコレクタ−ベース間に電圧がかかるようにすれば、コレクタ出力容量Ｃobの影響が小さくなり、正確な周波数の信号を抽出することができるとともに、コンデンサＣ１〜Ｃｎの静電容量を小さくすることができる。
【００１７】
以上、本発明の実施形態を説明したが、上述の実施形態は例として提示したものであり、本発明の範囲は、これらに限定するものではなく、その他の様々な形態で実施されることが可能であり、特許請求の範囲に記載された発明の範囲とその均等の範囲に含まれるものである。
【符号の説明】
【００１８】
ＰＤ・・・フォトダイオード
Ｌ・・・コイル
Ｃ・・・コンデンサ
Ｌ１・・・固定コイル
Ｃ１〜Ｃｎ、Ｃｉ・・・コンデンサ
Ｔ１〜Ｔｎ、Ｔｉ・・・トランジスタ
１・・・ＣＰＵ
２・・・直流変換回路
Ｃob・・・コレクタ出力容量
Ｒ１、Ｒ２・・・抵抗
【図１】
2015226196.tif 000004
【図２】
2015226196.tif 000005
【図３】
2015226196.tif 000006